(57)【要約】【課題】静圧、落下など想定外の外乱の影響を受けにくいファインダユニットを有し、且つ強固にマウント部材を保持した撮像装置を提供すること。【解決手段】ファインダユニットを有する撮像装置であって、接眼光軸周辺を覆うように形成され、外部アクセサリとの接続部を持ち、マウント部材と、更に、接眼光軸の上側に配置され、接眼光軸の上側に配置された外装部品１と、接眼光軸の撮影者側に配置された外装部品２と、少なくとも１つ以上の回路基板を保持した本体部品と、を有した撮像装置において、マウント部材は、接眼光軸上側で、外装部品１と締結部１で締結され、接眼光軸下側で、本体部品と締結部２で締結され、且つ、外装部品２は、締結部１では、マウント部材を挟んで外装部品１と反対側に締結され、締結部２では、マウント部材を挟んで本体部品と反対側で外装部品１と接するように締結される。【選択図】図２
2017102356.tif 000002
【特許請求の範囲】
【請求項１】
ファインダユニットを有する撮像装置であって、
接眼光軸周辺を覆うように形成され、
外部アクセサリとの接続部を持ち、
マウント部材と、更に、接眼光軸の上側に配置され、
接眼光軸の上側に配置された外装部品１と、
接眼光軸の撮影者側に配置された外装部品２と、
少なくとも１つ以上の回路基板を保持した本体部品と、
を有した撮像装置において、
前記マウント部材は、
接眼光軸上側で、前記外装部品１と締結部１で締結され、
接眼光軸下側で、前記本体部品と締結部２で締結され、
且つ、
前記外装部品２は、前記締結部１では、
前記マウント部材を挟んで前記外装部品１と反対側に締結され、
前記締結部２では、
前記マウント部材を挟んで前記本体部品と反対側で前記外装部品１と接するように締結されることを特徴とする撮像装置。
【請求項２】
前記外装部品２は、締結部１、締結部２において前記マウント部材より撮影者側に配置されていることを特徴とする請求項１に記載の撮像装置。
【請求項３】
前記マウント部材は更に、爪部を持ち、本体部品に対し仮止め可能なように構成していることを特徴とする請求項１又は請求項２に記載の撮像装置。
【発明の詳細な説明】
【技術分野】
【０００１】
本発明は、カメラの本体構成に関し、主に接眼レンズの周辺を保護する部材の取り付け構成に関する。
【背景技術】
【０００２】
被写体を観察する複数のレンズから構成される接眼レンズ部を含んだファインダユニットと、被写体を撮像する撮像素子を備えたカメラが知られている。このようなカメラでは、撮影者がファインダをのぞき込み、被写体を確認しながら撮影を行う。
【０００３】
また、撮影者に一番近い接眼レンズの周辺には、外装部品として外部に露出し、接眼レンズを保護するアイカップマウントがあり、多くの場合、アイカップマウントは、アイカップ、アングルファインダなど、外部アクセサリのインターフェースを兼ねている。
【０００４】
特許文献１のカメラでは、ファインダ光学系を構成する複数の光学部材と、これらを保持する光学部品保持部材を一つのユニットとし、ファインダユニット内でピント板位置調整、測光センサの位置調整を行うことを可能としている。
【先行技術文献】
【特許文献】
【０００５】
【特許文献１】特開２００６−２０１４５６号公報
【発明の概要】
【発明が解決しようとする課題】
【０００６】
しかしながら、特許文献１のようなカメラの構成では、アイカップマウントもファインダユニットの一部として締結されている。このため、ユーザがアイカップマウントに装着可能なアクセサリ装着時に、想定外の荷重をかけてしまった時、ファインダユニットにまで大きな負荷を伝達しまう。このため、高精度に調整されたピント板位置、測光センサ位置もずれてしまう可能性がある。
【０００７】
本発明は、上記従来例を鑑みたものであり、その目的は、ファインダユニットが、静圧、落下など想定外の外乱の影響を受けにくく且つ強固にアイカップマウントを保持した撮像装置を提供することにある。
【課題を解決するための手段】
【０００８】
上記の目的を達成するために、本発明に係る撮像装置は、
ファインダユニットを有する撮像装置であって、接眼光軸周辺を覆うように形成され、外部アクセサリとの接続部を持ち、マウント部材と、更に、接眼光軸の上側に配置され、接眼光軸の上側に配置された外装部品１と、接眼光軸の撮影者側に配置された外装部品２と、少なくとも１つ以上の回路基板を保持した本体部品と、を有した撮像装置において、前記マウント部材は、接眼光軸上側で、前記外装部品１と締結部１で締結され、接眼光軸下側で、前記本体部品と締結部２で締結され、且つ、前記外装部品２は、前記締結部１では、前記マウント部材を挟んで前記外装部品１と反対側に締結され、前記締結部２では、前記マウント部材を挟んで前記本体部品と反対側で前記外装部品１と接するように締結されることを特徴とする。
【発明の効果】
【０００９】
本発明によれば、マウント部材は、本体部品及び外装部品により締結されているため、静圧、落下など想定外の外乱の影響を受けにくいファインダユニットを有し、且つ強固にマウント部材を保持した撮像装置を提供することが可能となる。
【図面の簡単な説明】
【００１０】
【図１】本発明の実施形態に係るデジタル一眼レフカメラの構成図
【図２】本発明の実施形態に係るデジタル一眼レフカメラの分解図
【図３】上蓋２２を取り付けた時のアイカップマウント２０の保持構成の説明図
【図４】後蓋２３を取り付けた時のアイカップマウント２０の保持構成の説明図
【発明を実施するための形態】
【００１１】
以下に、本発明の好ましい実施の形態を、添付の図面に基づいて詳細に説明する。
【００１２】
図１〜図４を参照して、本発明の実施形態に係るデジタル一眼レフカメラについて説明する。
【００１３】
図１は本発明の実施形態に係るデジタル一眼レフカメラの構成図で、光学ファインダ観察状態を示している。
【００１４】
図１において、１はカメラ、２は交換レンズである。光学ファインダ観察状態では、交換レンズ２を通った撮影光束は、主ミラー３により、９０°上方に反射される。また、主ミラー３はハーフミラーで構成され、主ミラー３を一部透過した撮影光束は、サブミラー４によりカメラ本体１の底面方向に反射される。底面方向に反射された撮影光束はＡＦユニット５に導かれる。ＡＦユニット５は、従来から一眼レフカメラに用いられている位相差ＡＦ方式で構成されている。
【００１５】
主ミラー３により、９０°上方に反射された撮影光束は、ピント板６に結像する。ピント板６の結像面は、撮影面と光学的に等距離な位置に高精度に調整され、配置されている。
【００１６】
７はＰＮ−ＬＣＤであり、非通電時には拡散状態になり、通電時に透過状態になる高分子分散液晶で構成される情報表示部材である。８はペンタプリズム、９は接眼レンズユニットで、ピント板６に結像した像をＰＮ−ＬＣＤ７を通し、ファインダ像として観察できるように構成されている。
【００１７】
１０は測光ユニットで、測光ユニット１０はピント板６の拡散光をヤブにらみ方向から検出して被写体の測光を行う。また、測光ユニット１０は、その位置により測光値が大きく変化するため、高精度に位置調整がされている。
【００１８】
１１は情報表示ユニットで、ＴＮ液晶パネルとバックライト等で構成される。情報表示ユニット１１から出た光はプリズム１２を介してペンタプリズム８に入り、接眼レンズユニット９を通してファインダ像の下側に観察される。１３はＰＮ−ＬＣＤ７の照明用のライトガイドバーである。
【００１９】
１４はシャッターユニットである。シャッターユニット１４は縦走りのフォーカルプレーンシャッターで構成されている。１５は撮像素子で、ＣＭＯＳセンサ等で構成される。１６は交換レンズ２に内蔵された撮影光学部材である。
【００２０】
１７は絞りである。絞り１７はカメラ本体１からのコントロールにより、開口径の調整が可能な構成をとっている。１８は視野マスクであり、視野の範囲を決定する。２０は、アイカップマウントであり、本実施形態のアイカップマウントは、ファインダユニット１００から分離され、締結されている。
【００２１】
１００は、ファインダユニットである。ファインダユニット１００に大きな荷重が加わると、前記ピント板６や、測光ユニット１０など高精度に位置調整された部材が動き、ファインダ光学性能を著しく落としてしまうこととなる。
【００２２】
図１において、撮影動作が行われる場合、主ミラー３とサブミラー４が上方に跳ねあげられ、シャッターユニット１４と絞り１７により露光量がコントロールされて撮像素子１５で撮影が行われる。撮影後、主ミラー３とサブミラー４は図１の位置に戻る。
【００２３】
図２は本実施形態におけるデジタル一眼レフカメラの分解図である。
【００２４】
１９はミラーボックス部材であり、シャッターユニット１４（図１）、撮像素子１５（図１）及び主ミラー３、サブミラー４（図１）、ＡＦユニット５（図１）ファインダユニット１００を保持する。２１は、本体であり、不図示の回路基板を保持している。また、アイカップマウント２０の仮止め爪２０ａによりアイカップマウント２０を本体２１に仮止めすることが可能である。
【００２５】
２２は上蓋であり、カメラの外装部品である。２３は後蓋であり、上蓋２２と同様にカメラの外装部品である。
【００２６】
ここで、組立の順番について説明する。
【００２７】
ミラーボックス部材１９にファインダユニット１００が取り付けられた後、本体２１をミラーボックス部材１９に取り付ける。その後、アイカップマウント２０の仮止め爪２０ａにより、アイカップマウント２０を本体２１に仮止めする。その後、上蓋２２をミラーボックス部材１９に取り付け、後蓋２３を背面から本体２１に取り付ける。
【００２８】
次に図３を参照して、上蓋２２を取り付けた時のアイカップマウント２０の保持構成について説明する。図３−ａは、上蓋２２を取り付ける寸前の状態を示す。図３−ｂは、上蓋２２を取り付けた直後の状態を示す。図３−ｃは、図３−ｂの１部であるＸの部分を拡大した図である。
【００２９】
図３−ａのように上蓋２２は、本体２１の図面上から取り付けられる。また、この時、アイカップマウント２０は、本体２１にアイカップマウント２０の仮止め爪２０ａにより仮止めされた状態となっている。そして、図３−ｂおよび図３−ｃのように、上蓋２２が取り付けられる。
【００３０】
ここで図３−ｃによれば、アイカップマウント２０の取りつけ面２０ｂの位置では、紙面裏側に上蓋２２が潜り込んでいるため、アイカップマウント２０の取りつけ面２０ｂは外部に露出している。また、上蓋２２の取りつけ面２２ａの位置では、紙面裏側にアイカップマウント２０が潜り込んでいるため、上蓋２２の取りつけ面２２ａは外部に露出している。
【００３１】
次に、図４を参照して、後蓋２３を取り付けた時のアイカップマウント２０の保持構成について説明する。
【００３２】
図４−ａは図３−ｃから、後蓋２３が取り付けられた状態を示す。図４−ｂは図４−ａをＹＹ断面で切って矢印の方向から観察した時のアイカップマウント２０の締結状態を示す。
【００３３】
２４は、アイカップマウント２０の取りつけ面２０ｂの位置で、上蓋２２、アイカップマウント２０、後蓋２３を締結するビスである。２５は、上蓋２２の取りつけ面２２ａの位置で、本体２１、アイカップマウント２０、上蓋２２、後蓋２３を締結するビスである。
【００３４】
図４−ａのように、後蓋２３が取り付けられると、アイカップマウントの取りつけ面２０ｂ及び、上蓋２２の取りつけ面２２ａは後蓋２３の紙面裏側に潜り込む。
【００３５】
図４−ｂによれば、ビス２４の位置では、アイカップマウント２０に外部からの負荷が掛かった場合、上蓋２２が負荷を受けるため、強固にアイカップマウント２０を保持することが可能となり且つ、ファインダユニット１００に直接負荷がかかることはない。
【００３６】
また、ビス２５の位置では、アイカップマウント２０に外部からの負荷が掛かった場合、本体２１が負荷を受けるため、強固にアイカップマウント２０を保持することが可能となり且つ、ファインダユニット１００に直接負荷がかかることはない。
【００３７】
以上、本発明の好ましい実施形態について説明したが、本発明はこれらの実施形態に限定されず、その要旨の範囲内で種々の変形及び変更が可能である。
【符号の説明】
【００３８】
１  カメラ、２  交換レンズ、３  主ミラー、４  サブミラー、５  ＡＦユニット、
６  ピント板、７ＰＮ−ＬＣＤ、８  ペンタプリズム、９  接眼レンズユニット、
１０  測光ユニット、１１  情報表示ユニット、１２  プリズム、
１３  ライトガイドバー、１４  シャッターユニット、１５  撮像素子、
１６  撮影光学系、１７  絞り、１８  視野マスク、１９  ミラーボックス部材、
２０  アイカップマウント、２１  本体、２２  上蓋、２３  後蓋、
１００  ファインダユニット
【図１】
2017102356.tif 000003
【図２】
2017102356.tif 000004
【図３】
2017102356.tif 000005
【図４】
2017102356.tif 000006